(57)【要約】【課題】  原稿を開かなくても原稿横からインデックス表示した箇所を容易に発見でき、資料を読む者に対して読みやすい複写画像を提供する。【解決手段】  転写紙端部まで画像形成するインデックスモードを有し、操作部４０からのインデックスモードの指定により、制御部６０は画像出力部３０にインデックスモードによるインデックス画像データを出力させる画像形成装置。【選択図】  図１
2005091779.tif 000002
【特許請求の範囲】
【請求項１】
転写紙端部まで画像形成するインデックスモードを有し、操作部からのインデックスモードの指定により、制御部は画像出力部にインデックスモードによるインデックス画像データを出力させることを特徴とする画像形成装置。
【請求項２】
請求項１記載の画像形成装置において、操作部はインデックス表示頁を任意に設定する機能を有することを特徴とする画像形成装置。
【請求項３】
請求項１記載の画像形成装置において、操作部はインデックス表示個所を任意に設定する機能を有することを特徴とする画像形成装置。
【請求項４】
請求項１記載の画像形成装置において、操作部はインデックス色をカラー色で設定する機能を有することを特徴とする画像形成装置。
【発明の詳細な説明】
【技術分野】
【０００１】
本発明は、デジタル方式の画像形成装置に関する。
【背景技術】
【０００２】
頁数の多い複写原稿などは、頁数が記載されている場合でも、原稿内容の読みたい箇所を見つけにくいことがある。特に頁数の多い資料に基づいて口頭の説明を受ける場合などにおいては、説明する側の説明がポイントを拾い読みした説明になる傾向が多く、説明を受けている者からすると資料中現在説明している箇所を見つけるのに苦労し説明内容の理解に集中できない場合が多い。
【発明の開示】
【発明が解決しようとする課題】
【０００３】
また通常の画像形成装置では転写紙の全面に画像形成は行っておらず、転写紙端面はトリミングされた非画像領域となっている。そのため、インデックス的な機能をスポイルしていた。即ち、従来の転写紙では画像領域が転写紙の内側エリア中に収まる様に設定されていたため、インデックス表示部分が転写紙の内側になってしまい、原稿を閉じた場合に、インデックス部分を確認することができず所望の記載箇所を確認するのに時間と手間がかかった。
本発明は、原稿を開かなくても原稿横からインデックス表示した箇所を容易に発見でき、資料を読む者に対して読みやすい複写画像を提供することを目的とする。
【課題を解決するための手段】
【０００４】
上記目的を達成するために、請求項１記載の発明は、転写紙端部まで画像形成するインデックスモードを有し、操作部からのインデックスモードの指定により、制御部は画像出力部にインデックスモードによるインデックス画像データを出力させる画像形成装置を最も主要な特徴とする。
請求項２記載の発明は、請求項１記載の画像形成装置において、操作部はインデックス表示頁を任意に設定する機能を有する画像形成装置を主要な特徴とする。
請求項３記載の発明は、請求項１記載の画像形成装置において、操作部はインデックス表示個所を任意に設定する機能を有する画像形成装置を主要な特徴とする。
請求項４記載の発明は、請求項１記載の画像形成装置において、操作部はインデックス色をカラー色で設定する機能を有する画像形成装置を主要な特徴とする。
【発明の効果】
【０００５】
本発明によれば、転写紙端部まで画像形成するインデックスモードを有し、操作部からのインデックスモードの指定により、制御部は画像出力部にインデックスモードによるインデックス画像データを出力させることで、所期の目的を達成することができる。
【発明を実施するための最良の形態】
【０００６】
以下、本発明の実施の形態を図面に従って説明する。
図１は本発明の実施の形態に係る画像形成装置の全体構成図である。本画像形成装置は、原稿Ｏを１枚ずつ自動的にスキャナ部へ搬送する自動原稿送り装置１と、原稿Ｏを画素化して読み取るデジタルスキャナ部１０と、このデジタルスキャナ部１０からの画像信号を記録する画像メモリ２０と、この画像メモリ２０に記憶された画像信号を読み出して給紙トレイ３１内の転写紙に記録する画像出力部３０と、操作部４０と、画像出力部３０に連設された後処理装置（ソータ／ステ−プラ）５０と、これら各制御対象を統括制御する制御部６０とを備えている。この画像形成装置では、デジタルスキャナ部１０で原稿を読み取って画像メモリ２０に記憶し、この記憶された画像情報を画像出力部３０より画像再生する。
自動原稿送り装置１は、原稿Ｏを載置する原稿台２、原稿台２上の原稿を送り出す給紙コロ３、重ねた原稿を１枚ずつに分離する分離ローラ４、分離された原稿を搬入する搬入ローラ５、原稿をコンタクトガラス１１上で搬送する搬送ベルト６を備える。
デジタルスキャナ部１０は、上部に配置された原稿の下面を光学走査機１２によって読み取り、その光学像をミラー１３及びレンズ系１４、１５を介して光電変換部（ＣＣＤ）１６に電送してデジタルの電気信号に変換するようになっている。
画像出力部３０は、画像メモリ２０から読み出された画像信号を入力部３２に入力して光信号に変換しこれを記録部に送る。記録部３３では搬送機構３４によって搬送されてくる転写紙に画像信号に対応する記録を行い、これをコピーとして出力する。コピーは後処理装置５０により仕分けられて出力、排紙される。
操作部４０は、目的とするコピーモードを操作者によりキー入力指示することができ、後処理装置５０は転写紙を仕分けて排紙、ステープル処理を行うことができる。自動原稿送り装置１、デジタルスキャナ部１０、画像メモリ２０、画像出力部３０、操作部４０、後処理装置５０は、制御部６０により制御される。
【０００７】
図２は図１に示す制御部のブロック図である。制御部６０にはＣＰＵ１０１が搭載され、プログラム用ＲＯＭ１０２、データの一時格納用ＲＡＭ１０３、タイマ１０４、入出力Ｉ／Ｏポート１０５が接続されている。Ｉ／Ｏポート１０５には本画像形成を操作するための操作部４０、各種のセンサ１０６、負荷ドライバ１０７、各種の負荷１０８、及び画像メモリ２０を制御するためのメモリユニット１０９が接続されている。
図２において、デジタルスキャナ部１０のＣＣＤ１６で読み取られた信号はＡ／Ｄコンバータ１１０でデジタル信号に変換される。そしてシェーディング補正部１１１、ＭＴＦ補正・γ補正部１１２等の画像処理回路を経由した画像データは、セレクタ１１３によって転送先を画像データ格納時はメモリユニット１０９を介して画像メモリ２０に、画像データの画像メモリ２０からの読み出し時には画像出力部３０に切り替えられる。符号１１４は画像データ比較・補正部である。
本発明の画像形成装置の特徴的な構成は、転写紙端部まで画像形成するインデックスモードを有する。そしてインデックスモードを選択した時には、インデックス／印字データと読取画像データを合成したインデックス画像データ１１５を画像メモリ２０に格納する。そして先頭アドレスを読み出すことにより格納されている任意の頁を読み出すことができる。またこれにより画像の転写紙に対しての出力方向を変えること（電子ソート）も可能となる。
【０００８】
図３は本発明の画像形成装置における制御動作を示すフローチャートである。操作部４０により、インデックスモードが選択されると（Ｓ１）、操作部４０の表示面がインデックス箇所の選択及びその色の選択画面に切り替わる。操作者はそこで、転写紙端部へのインデックスしたい『頁の指定、配置、色』を選択する（Ｓ２）。そしてコピースタートキーをオンする（Ｓ３）
読み取った画像データがインデックスモード選択となっている場合（Ｓ４でＹ）、印字画像データと読み取った画像データをメモリユニット１０９内で合成し、インデックス画像データ１１５を作成し画像メモリ２０へ格納する（Ｓ５）。そしてそのインデックス画像データ１１５は画像出力部３０へ送られ（Ｓ７）、転写紙へ出力される（Ｓ８）。インデックスモードが選択されていない場合は（Ｓ４でＮ）、そのままの読取画像データを画像メモリ２０に格納する（Ｓ６）。
【０００９】
図４はインデックス画像データの出力結果を示す図である。この様にインデックス表示頁及び表示場所を任意に設定可能とすることで、資料を読む読者に対してインデックス箇所を判り易くし効果的な原稿作成が可能となる。
またデジタルカラー画像形成装置において、インデックスデータをカラーにより複数色選択可能とすることで、資料を読む者により読みやすい資料を作成・提供することが可能となり、資料を作成するユーザーの使用範囲を広げ、より効果的な転写原稿作成が可能となる。
本発明では、転写紙端部まで書込エリアを広げ、インデックス部が転写紙端部まで画像転写されるので、原稿を閉じた場合でもインデックス表示の目視が可能となり、本の読み出しが容易になる。またインデックス表示頁、表示個所を任意に設定可能とすることで、資料を作成するユーザーの使用範囲を広げ効果的な原稿作成が可能となる。
またインデックス表示をカラー表示可能とすることで、資料を作成するユーザーの使用範囲を広げ効果的な原稿作成を可能とし、資料を読む読者に対してインデックス箇所を判り易くすることが可能となる。
【図面の簡単な説明】
【００１０】
【図１】本発明の実施の形態に係る画像形成装置の全体構成図である。
【図２】図１に示す制御部のブロック図である。
【図３】本発明の画像形成装置における制御動作を示すフローチャートである。
【図４】インデックス画像データの出力結果を示す図である。
【符号の説明】
【００１１】
３０  画像出力部
４０  操作部
６０  制御部
【図１】
2005091779.tif 000003
【図２】
2005091779.tif 000004
【図３】
2005091779.tif 000005
【図４】
2005091779.tif 000006